(57)【特許請求の範囲】
【請求項１】
Ｂｌｕｅｔｏｏｔｈによって近距離無線通信を行う近距離無線通信部と、
接続要求を受信したか印刷要求を受信したかを判定し、前記近距離無線通信部が前記接続要求を受信すると、前記接続要求を送信したクライアント装置との無線接続を確立する処理を実行するマイクロコンピュータと、
前記近距離無線通信部及び前記マイクロコンピュータに電力を供給する第一電源部と、
前記印刷要求に応じた印刷を実行する印刷部と、
前記印刷部に電力を供給する第二電源部とを備え、
前記マイクロコンピュータは、前記近距離無線通信部が前記印刷要求を受信すると前記第二電源部を起動して前記印刷部に電力を供給開始させ、前記近距離無線通信部で受信した前記印刷要求に応じて、前記近距離無線通信部で受信した印刷対象データを前記印刷部に印刷させる、
プリンタ。
【発明の詳細な説明】
【０００１】
【発明の属する技術分野】
本発明は、データ処理装置に関する。
【０００２】
【従来の技術】
Ｂｌｕｅｔｏｏｔｈ等の無線伝送方式に対応した例えばプリンタ等のデータ処理装置は、クライアント装置からの無線通信によるデータ及びそれに対する処理要求を受け付けるために、常時電源がオンにされていることが多い。
【０００３】
また、装置の電源がオフにされている場合に遠隔操作で電源をオンにする手段として、例えばテレビジョン受像器で用いられるリモートコントローラ等の当該テレビジョン受像器に専用に設計された遠隔操作装置を用いる手段が知られている。これらの遠隔操作装置では、一般に主電源をオンにするための電源制御信号を送信する操作と、その後に例えば音量調整等の所定の処理要求を送信する操作の２つの操作が必要である。
【０００４】
【発明が解決しようとする課題】
データ処理装置の電源を待機時もオンにしておくことは電力の浪費である。しかしながら、待機時にデータ処理装置の電源をオフにすると、クライアント装置のユーザはデータ等を送信する前に毎回手動で電源をオンにしなければならないという手間がかかる。
【０００５】
本発明は上記問題を解決するために創作されたものであって、その目的は無線通信により受け付ける要求に応じた処理を実行するデータ処理装置の待機時消費電力を低減することにある。
【０００６】
【課題を解決するための手段】
本発明によるプリンタは、Ｂｌｕｅｔｏｏｔｈによって近距離無線通信を行う近距離無線通信部と、接続要求を受信したか印刷要求を受信したかを判定し、前記近距離無線通信部が前記接続要求を受信すると、前記接続要求を送信したクライアント装置との無線接続を確立する処理を実行するマイクロコンピュータと、前記近距離無線通信部及び前記マイクロコンピュータに電力を供給する第一電源部と、前記印刷要求に応じた印刷を実行する印刷部と、前記印刷部に電力を供給する第二電源部とを備え、前記マイクロコンピュータは、前記近距離無線通信部が前記印刷要求を受信すると前記第二電源部を起動して前記印刷部に電力を供給開始させ、前記近距離無線通信部で受信した前記印刷要求に応じて、前記近距離無線通信部で受信した印刷対象データを前記印刷部に印刷させる。
【０００７】
このプリンタによると、無線接続されたクライアント装置からのデータ及びそれに対する印刷要求を受信することで、電力供給が遮断されている印刷部へ第二電源部による電力供給が開始されるとともに要求に応じた処理が印刷部で実行開始されるため、待機消費電力を低減することができる。
【００１０】
【発明の実施の形態】
以下、本発明の実施の形態を実施例に基づき説明する。
図１は、本発明の一実施例によるデータ処理装置１のハードウェア構成を示すブロック図である。図示するようにデータ処理装置１には、制御部１０、電源部２０、無線通信部３０及びデータ処理部４０が設けられている。
【００１１】
制御部１０は、ＣＰＵ、ＲＯＭ及びＲＡＭを備えるマイクロコンピュータであり、ＲＯＭに記憶されているコンピュータプログラムを実行することで、無線通信部３０、データ処理部４０及びリレー駆動回路２３を制御する。
【００１２】
電源部２０は、制御部１０、リレー駆動回路２３及び無線通信部３０に電力を供給する第一電源部２１と、データ処理部４０に電力を供給する第二電源部２２と、電源スイッチであるリレー２４のオン／オフを行うリレー駆動回路２３とを備える。第一電源部２１は、交流電力を変成するためのトランス、交流電圧を整流し直流電圧に変換するための整流平滑回路、安定した出力電圧を得るためのレギュレータ等を備えており、交流電源（ＡＣ）プラグ５０と接続され、ＡＣプラグ５０が商用交流電源に接続されている限り常時電力の供給を受けている。第二電源部２２も同様にトランス、整流平滑回路、レギュレータ等を備え、リレー２４を介してＡＣプラグ５０に接続されており、リレー２４がオンにされることにより電力が供給される。なお、以後の説明では、リレー２４がオフにされデータ処理部４０への電力供給が遮断されている状態を待機状態というものとする。
【００１３】
無線通信部３０は、無線伝送方式であるＢｌｕｅｔｏｏｔｈに従って構成され、ベースバンド部、ＲＦ（Radio Specification）部及びアンテナを備え、携帯電話、ディジタルスチルカメラ、パーソナルコンピュータ、ＰＤＡ等のクライアント装置からデータ及びそれに対する処理要求を受信する。ベースバンド部は、ＤＳＰ（Digital Signal Processor）、マイクロコンピュータ等を備え、ＢｌｕｅｔｏｏｔｈプロトコルのＢａｓｅｂａｎｄ層で規定された機能を実装しており、装置間の物理的なＲＦリンクを張る処理を行う。ＲＦ部はＤ／Ａ変換器、変調器、復調器等を備え、ＢｌｕｅｔｏｏｔｈプロトコルのＲＦ層で規定された機能を実装しており、無線データの送受信及び変復調処理を行う。
【００１４】
データ処理部４０は、例えばプリンタであれば画像を用紙へ印刷する処理を制御部１０からの命令を受けて実行する。データ処理部４０の構成については後述する。
【００１５】
以上、本実施例におけるデータ処理装置１のハードウェア構成について説明した。以下、本実施例におけるデータ処理装置１及びクライアント装置が構成する無線ネットワークの概要について説明する。
【００１６】
データ処理装置１及びクライアント装置は、Ｂｌｕｅｔｏｏｔｈが備える機能により小規模な無線ネットワーク（ピコネット）を構成する。ピコネットには１台のマスタ装置と６台までのスレーブ装置が接続可能である。マスタ装置はスレーブ装置を発見するために常に問い合わせパケットを送信し続けており、スレーブ装置はその問い合わせ情報に応答することで無線接続が開始される。
【００１７】
以上、本実施例におけデータ処理装置１及びクライアント装置により構成される無線ネットワークの概要について説明した。以下、データ処理装置１がデータ及びそれに対する処理要求を受信して処理を実行する作動を、データ処理部４０での処理を要しない処理要求の場合と、データ処理部４０での処理を要する処理要求の場合とにわけてそれぞれ説明する。
【００１８】
図２は、データ処理装置１がデータ及びそれに対する処理要求を受信して処理を実行する作動の流れを示すシーケンス図である。なお、以降の説明では、データ処理装置１をピコネットのマスタ装置、クライアント装置をスレーブ装置として、またデータ処理装置１は待機状態にあるとして説明する。
【００１９】
始めに、データ処理部４０での処理を要しない処理要求の場合について説明する。
【００２０】
クライアント装置は、始めにデータ処理装置１から送信される問い合わせパケットを受信して、データ処理装置１との接続要求をデータ処理装置１に無線送信する（ステップＳ１０５）。ここで接続要求とはデータ処理装置１との無線接続の確立に関する処理要求であり、データ処理部４０での処理を要しない要求である。無線通信部３０は、クライアント装置から無線信号を受信すると、その信号を復調して制御部１０に伝送する。制御部１０は、伝送された信号に含まれる処理要求がデータ処理部４０での処理を要する処理要求であるかどうかを判定する（ステップＳ１１０）。クライアント装置が送信した当該接続要求は、データ処理部４０の処理を要しない処理要求のため、制御部１０は制御部１０のみで当該要求を処理する。すなわちクライアント装置との無線接続を確立する（ステップＳ１１５）。
【００２１】
次に、データ処理部４０での処理を要する処理要求の場合について説明する。クライアント装置は、例えば印刷等のデータ処理を要求するため、データとそれに対する処理要求をデータ処理装置１に無線送信する（ステップＳ１０５）。ここで、当該処理要求はデータ処理部４０での処理を要する要求である。無線通信部３０は、クライアント装置から無線信号を受信すると、その信号を復調して制御部１０に伝送する。制御部１０は、伝送された信号に含まれる処理要求がデータ処理部４０での処理を要する要求であるかどうかを判定する（ステップＳ１１０）。クライアント装置が送信した当該処理要求は、データ処理部４０での処理を要する処理要求のため、制御部１０はリレー駆動回路２３を制御してリレー２４をオンにし、第二電源部２２へ電力を供給させる（ステップＳ１２０）。電力を供給された第二電源部２２は、データ処理部４０に電力を供給する。これにより、データ処理装置１は待機状態から復帰する。制御部１０は、駆動可能となったデータ処理部４０に対し、受信した処理要求に応じた処理の実行開始を命令する。データ処理部４０は、制御部１０からの命令に従って、受信したデータの処理を実行する（ステップＳ１２５）。データ処理部４０の作動については後述する。制御部１０は、データ処理部４０での処理が終了してから予め設定した時間が経過したかどうかを判定し（ステップＳ１３０）、経過していればリレー駆動回路２３を制御してリレー２４をオフにし、第二電源部２２への電力供給を遮断する（ステップＳ１３５）。これにより、データ処理装置１は再び待機状態となる。
【００２２】
以上、データ処理装置１がデータ及びそれに対する処理要求を受信して処理を実行する作動を説明した。以下、データ処理部４０の構成及び作動を、受信するデータが表す画像を印刷する場合、並びに受信するデータを通信網に送出する場合についてそれぞれ説明する。
【００２３】
（１）印刷
受信するデータが表す画像を印刷するデータ処理装置１は、例えばプリンタである。プリンタのデータ処理部４０の構成を図３に示す。データ処理部４０は、用紙搬送口から用紙排出口に用紙を搬送する搬送部６０と、公知技術であるインクジェット方式やレーザービーム方式等で用紙に画像を印刷する印刷部６１とを備える。
【００２４】
制御部１０は、受信したデータを印刷用データに変換してデータ処理部４０に出力する。データ処理部４０は、搬送部６０に用紙を搬送させつつ、印刷部６１で印刷用データに応じて印刷する。
【００２５】
（２）通信網への送出
受信するデータを通信網に送出するデータ処理装置１は、例えば携帯電話である。携帯電話のデータ処理部４０の構成を図４に示す。データ処理部４０は、通信部６９及び送受信アンテナ７０を備える。通信部６９は、例えばディジタルフィルタ、変調器、ミキサ等を備えたＲＦフロントエンド、マイクロコンピュータ等を備える。
【００２６】
通信部６９は、制御部１０から出力されるデータを搬送波で搬送可能な信号に変調し送受信アンテナ７０から基地局に送信し、例えばインターネットや商用ネットワーク等の通信網に送出する。また通信部６９は、基地局から送信され送受信アンテナで受信した信号を復調して生成されるディジタル情報を制御部１０に出力する。
【００２７】
なお、本実施例では携帯電話を例に説明したが、受信するデータを通信網に送出するデータ処理装置１はモデムであってもよいし、ＴＡ（Terminal Adapter）、ルータ、ハブ等であってもよい。
【００２８】
以上、本実施例におけるデータ処理の作動について説明した。以下、本実施例におけるデータ処理装置１の効果について説明する。
【００２９】
本実施例のデータ処理装置１によると、待機時には第二電源部２２への電力供給を行わない。これにより、待機時の消費電力を低減することができる。
【００３０】
また、本実施例のデータ処理装置１によると、データ及びそれに対する処理要求を受信することで待機状態から復帰する。これにより、ユーザはデータ処理装置１がオンであるかオフであるかを意識することなくデータ及びそれに対する処理を要求することができる。
【００３１】
また、本実施例のデータ処理装置１によると、専用の遠隔操作装置を用意する必要がない上、主電源をオンにするための電源制御信号を送信する操作と、その後に例えば音量調整等の所定の処理要求を送信する操作を個別にする必要もなく、ユーザの利便性を高めることができる。
【００３２】
また、本実施例のデータ処理装置１によると、データ及びそれに対する処理要求を受信すると、その処理要求がデータ処理部４０による処理を要する要求であるかどうかを判定した上でデータ処理部４０へ電力を供給する。これにより、データ処理部４０による処理を要しない場合はデータ処理部４０への電力供給を行わず消費電力をより低減することができる。
【００３３】
以上、本実施例におけるデータ処理装置１の効果について説明した。
なお、本実施例では、データ処理部４０での処理の要否を判定してデータ処理部４０へ電力を供給させるための制御を行うために第一電源部２１から制御部１０へ常時電力を供給しているが、処理の要否を判定してデータ処理部４０へ電力を供給させるための制御を行うＣＰＵを無線通信部３０に設け、制御部１０へはデータ処理部４０と同様に第二電源部２２から電力を供給するようにしてもよい。
【００３４】
また、本実施例では、画像データを印刷するデータ処理装置１を例に説明したが、テキストデータを印刷する装置に本発明を適用してもよい。
また、本実施例では、無線伝送方式としてＢｌｕｅｔｏｏｔｈを例に説明したが、Ｂｌｕｅｔｏｏｔｈ以外の例えば赤外線による無線伝送方式等を用いてもよい。
【００３５】
また、本実施例では印刷又は通信の機能を有するデータ処理装置１について説明したが、データ処理部４０の電力供給を遮断した後にも遮断前の表示状態を維持できる電子ペーパーについて本発明を適用してもよい。
【図面の簡単な説明】
【図１】本発明の一実施例によるデータ処理装置のハードウェア構成を示すブロック図である。
【図２】本発明の一実施例であるデータ処理装置がデータ及びそれに対する処理要求を受信して処理を実行する作動の流れを示すシーケンス図である。
【図３】本発明の一実施例であるプリンタのデータ処理部のハードウェア構成を示すブロック図である。
【図４】本発明の一実施例である携帯電話のデータ処理部のハードウェア構成を示すブロック図である。
【符号の説明】
１    データ処理装置
１０    制御部
２０    電源部
３０    無線通信部
４０    データ処理部
５０    ＡＣプラグ
【図１】
0003887818.tif 000002
【図２】
0003887818.tif 000003
【図３】
0003887818.tif 000004
【図４】
0003887818.tif 000005